(57)【要約】【課題】  嘔吐する事による寝床、枕、衣類、患者の体等が汚れることを防ぐ為の吐物受けシートを提供する。【解決手段】  寝床上に横向きに寝た使用者が枕の上に頭をおいた状態で使用する吐物受けシートであって、次の構成を備えている。すなわち、頭側端部（１０１ａ）と体側端部（１０１ｂ）とを有するシート本体（３）と、当該シート本体を使用者の首に取り付ける取付紐（５）と、を含めて構成してあり、当該頭側端部の頭寄りには、当該頭側端部を使用者の頭の下に位置させて枕の上に乗り上げ起立させたときに使用者の首を受け入れるための凹部（７）を形成してあり、当該体側端部と当該体側端部と当該凹部との間の部位と、を保持手段によって折り曲げ起立させてある。【選択図】図１
2008212627.tif 000002
【特許請求の範囲】
【請求項１】
寝床上に横向きに寝た使用者が枕の上に頭をおいた状態で使用する吐物受けシートであって、
頭側端部と体側端部とを有するシート本体と、当該シート本体を使用者の首に取り付ける取付紐と、を含めて構成してあり、
当該シート本体が、ほぼ長方形防水シートと、当該防水シート上面の一部又は前部の領域に貼り付けた吸湿シートと、を含めて構成してあり、
当該頭側端部の頭寄りには、当該頭側端部を使用者の頭の下に位置させて枕の上に乗り上げ起立させたときに使用者の首を受け入れるための凹部を形成してあり、
当該体側端部と当該体側端部と当該凹部との間の部位と、を保持手段によって折り曲げ起立させてあり、
当該取付紐を当該凹部近傍に取り付けてある
ことを特徴とする吐物受けシート。
【請求項２】
前記取付紐が、前記凹部の一端側にその一端を固定した一方の紐片と、当該凹部の他端側にその一端を固定した他方の紐片と、を含めて構成してあり、
当該一方の紐片の開放端と当該他方の紐片の開放端とを、着脱可能な面ファスナーによって連結可能に構成してある
ことを特徴とする請求項１記載の吐物受けシート。
【請求項３】
前記保持手段が、前記体側端部両端角部に形成した伸縮ヒダを含めて構成してある
ことを特徴とする請求項１又は２記載の吐物受けシート。
【発明の詳細な説明】
【技術分野】
【０００１】  この発明は、たとえば、胃カメラを飲むときの患者、嘔吐しやすい状態にある患者、寝たままで食事をする者（例示した上記三者を、以下、特に断らない限り「使用者」という）が、その口から吐き出す吐物（胃液、胆汁、唾液、その他の体液や一旦食べた食物等）を吐き出したときに、その吐物によって寝床、枕、さらに、衣類等を汚さないようにするための吐物受けシートに関する。
【背景技術】
【０００２】  たとえば、胃カメラを飲もうとする使用者は、その胃カメラの刺激によって嘔吐する場合が多い。その場合、寝床や枕等を汚さないようにするためにその吐物を受けるものとして、図６に示すような膿盆（以下、「膿盆受け」という）が用いられる事が多い。
【発明の開示】
【発明が解決しようとする課題】
【０００３】  しかしながら、上掲した膿盆受けによると、寝床の上に膿盆を置いただけで使用することになるので、医師のカメラ挿入作業の際に医師の手や器具がぶつかったり、苦しむあまり動かした患者の体や手などが当たったりして膿盆がずれて吐物を受け損なってしまう事が多かった。その結果、寝床や枕だけでなく使用者の衣類・顔面・頭髪までも吐物で汚してしまう事が頻繁に起った。このような不都合は、いかに医師が注意して作業を行っても、患者に注意を与えても、それだけで解決できない。そこで、医師や患者が吐物にさほど気を使わなくても、吐物を確実に受け、これによって、嘔吐する事による寝床、枕、衣類、患者の体等が汚れることを防ぐ為の吐物受けシートを提供する事を課題とする。
【課題を解決するための手段】
【０００４】  膿盆受けは、単に寝床の上に置いただけであるから、ずれ易いものであることは前述した通りであるが、胃カメラ診察の現場に立ち会った経験を持つ発明者は、その経験を下に試行錯誤を重ねた結果、今までにない吐物受けの方法を思いついた。本発明は、そのような経緯に基づいてなされたものである。その詳しい内容については、項を改めて説明する。なお、いずれかの請求項に記載した発明を説明するに当たって行う用語の定義等は、その性質上可能な範囲において、また、その記載順に関わらず、他の請求項に記載した発明にも適用があるものとする。【０００５】（請求項１記載の発明の特徴）
請求項１記載の発明にかかる吐物受けシート（以下、適宜「請求項１のシート」という）は、寝床上に横向きに寝た使用者が枕の上に頭をおいた状態で使用する吐物を受けるためのシートである。請求項１のシートは、頭側端部と体側端部とを有するシート本体と、当該シート本体を使用者の首に取り付ける取付紐と、を含めて構成してあり、当該シート本体が、ほぼ長方形防水シートと、当該防水シート上面の一部又は前部の領域に貼り付けた吸湿シートと、を含めて構成してある。さらに、当該頭側端部の頭寄りには、当該頭側端部を使用者の頭の下に位置させて枕の上に乗り上げ起立させたときに使用者の首を受け入れるための凹部を形成してある。これらに加え、当該体側端部と当該体側端部と鴎外凹部との間の部位と、を保持手段によって折り曲げ起立させてあり、当該取付紐を当該凹部近傍に取り付けてある【０００６】  請求項１のシートによれば、次の作用効果を奏する。ここで、使用者は寝床の上に横向きに寝ていて、同じく横向きの頭の下には枕が置かれる。請求項１のシートは、横向き使用者のほぼ胸前の寝床の上に敷かれ、このとき、凹部に患者の首を入れ取付紐を使ってシート全体を使用者に固定する。これで、シートが動きづらくなる。また、頭側端部の一部又は前部が枕の上に乗り上げさせ、これによって、頭側端部から体側端部にかけて枕に沿った壁が形成される。枕の上に乗り上げた頭側端部の上に使用者が頭を載せれば、その重みによって取付紐とともにシート本体のずれが有効に防止される。枕の上への乗り上げによって形成された壁と、保持手段によって折り曲げ起立させられた体側端部と、当該体側端部と当該凹部との間の部位と、の少なくとも三者によってシート上面に吐物を受けるための窪みが形成される。嘔吐された吐物は、上記三者によって形成された窪みに受け入れられる一方、吸湿シートによって吸収されるので、シート本体からこぼれおちて寝床等を汚すことがなくなる。防水シートは、吐物浸透による寝床等の汚れを防止する。使用後のシートは、取付紐を外して吐物のこぼれに注意しながらシート本体を丸めるだけでよい。吐物のこぼれは、吸湿シートの吸湿作用により効率的に防止される。【０００７】（請求項２記載の発明の特徴）
請求項２記載の発明にかかる吐物受けシート（以下、適宜「請求項２のシート」という）には、請求項１のシートの基本構成を備えさせた上で、前記取付紐が、前記凹部の一端側にその一端を固定した一方の紐片と、当該凹部の他端側にその一端を固定した他方の紐片と、を含めて構成してあり、当該一方の紐片の開放端と当該他方の紐片の開放端とを、着脱可能な面ファスナーによって連結可能に構成してある。【０００８】  請求項２のシートによれば、請求項１のシートの作用効果に加え、取付紐によるシート取付をその着脱作用によって簡単に行うことができる。このため、シート本体の取付と取り外しはもちろん、シート本体の患者に対する位置関係の調整も簡単に行うことができる。【０００９】（請求項３記載の発明の特徴）
請求項３記載の発明にかかる吐物受けシート（以下、適宜「請求項３のシート」という）には、請求項１又は２のシートの基本構成を備えさせた上で、前記保持手段が、前記体側端部両端角部に形成した伸縮ヒダ（ギャザー）を含めて構成してある。【００１０】  請求項３のシートによれば、請求項１又は２のシートの作用効果に加え、伸縮ヒダの作用によって、他動的に起立させずに自動的に起立させることができるので、シート本体の使用者に対する取付作業を簡単に行うことができる。また、未使用時、さらに、使用後も縮み作用によって、シート全体を小型の状態に保たせることができる。
【発明の効果】
【００１１】  本発明によれば、医師や患者が吐物にさほど気を使わなくても、吐物を確実に受け、これによって、嘔吐する事による寝床、枕、衣類、患者の体等が汚れることを防ぐ為の吐物受けシートを提供する事ができる。
【発明を実施するための最良の形態】
【００１２】  各図を参考にしながら、この発明を実施するための最良の形態（以下、適宜「本実施形態」という）について説明する。図１は、吐物受けシートに使用状態を示す斜視図である。図２は、吐物受けシートの展開平面図である。図３は、部分的に折り曲げ起立させた吐物受けシートの平面図である。図４は、図３に示す吐物受けシートの斜視図である。図５は、図４に示す吐物受けシートの右側面図である。【００１３】  図１及び４が示すように、吐物受けシート１は、寝床１０１上に横向きに寝た使用者が枕１０３の上に頭をおいた状態で使用する吐物を受けるためのシートである。吐物受けシート１は、頭側端部１０１ａと体側端部とを有するシート本体３と、シート本体３を使用者の首に取り付ける取付紐５と、を含めて構成してある。シート本体３は、ほぼ長方形の防水シート３ａと、防水シート３ａ上面の一部又は前部の領域に貼り付けた吸湿シート３ｂと、を含めて構成してある。防水シート３ａは、その上面に防水コーティングした不織布その他のシート状・フィルム状部材によって構成することができる。吸湿シート３ｂは、たとえば、十分な吸湿性を持った紙や不織布等に凹凸を形成したものが好適である。凹凸を設けることによって、平面に比べて吸湿させる面を実質的に広げることができるからである。防水シート３ａの大きさは、図２に示す状態で、長辺がほぼ４５ｃｍ、短辺がほぼ３３ｃｍに設定したが、使用者の体格や用途に合わせて適宜、変更することができることは言うまでもない。たとえば、小児用・乳児用とするなら、その寸法は上記に比べ小さく設定し、他方で、大柄な仕様車用として同じく大きく設定することができる。吸湿シート３ｂは、防水シート３ａに対して糊しろ３ｃｍ分だけ小さく、すなわち、長辺ほぼ３９ｃｍ、短辺２７ｃｍに設定してある。糊しろを設けたのは、吸湿した吸湿シート３ｂの周縁と防水シート３ａとの周縁との間に距離を置くこと（両周縁を一致させないようにすること）によって、吸水シート３ｂの周縁が枕やシーツ、さらには、使用者の衣類等に触れさせないようにするためである。【００１４】  吐物受けシート１が有する頭側端部１０１ａの頭寄り（図１の右側）には、頭側端部１０１ａを使用者の頭の下に位置させて枕１０３の上に乗り上げ起立させたときに使用者の首を受け入れるための凹部７を形成してある。つまり、図１に示すように、頭側端部１０１ａの頭寄りの部分を枕１０３の上に載せると、他の部分は主として足の方向に下りやがてベッド１０１の上に着地するが、この下りが頭側端部１０１ａを乗り上げ起立させる。この乗り上げ起立によって、吐物を使用者の顔からは離して汚すのを防ぐ。凹部７の形状は、たとえば、扇形がよい。凹部７は、図１及び４に示すように使用者の首を受け入れさせる部位であるから、首の形状に合わせて扇形に形成した。首との密着度を高めて吐物の漏れを防ぐために、凹部７の円弧縁に「ひだ」を設けておくこともよい。体側端部１０１ｂと体側端部１０１ｂと凹部７との間の部位（中間部位１０１ｃ）と、を保持手段（ゴム入りのギャザー（伸縮ヒダ）１０１ｄ、１０１ｅ（図１参照）によって折り曲げ起立させてある。ギャザーの代わりに粘着テープによって起立させるようにしてもよい。起立させたのは、頭側端部１０１ａの乗り上げ起立と併せて、シート本体３（吸湿シート３ｂ）の上面で受けた吐物のこぼれを防ぐためである。【００１５】  凹部７の両端近傍には、取付紐５を取り付けてある。取付紐５は、その一方を構成する一方の紐片５ａと他方を構成する他方の紐片５ｂと、から構成してある。本実施形態における一方の紐片５ａと他方の紐片５ｂとは、両者を面ファスナー（着脱手段）によって着脱するように構成してある。両紐片を十分に長く構成して、両者を結び連結するように構成してもよい。何れの着脱手段を用いるにせよ、使用者の体格（首の太さ）や使い勝手に合わせて取付紐５の長さを調節できるようにしておくと便利である。なお、上記構成を有する吐物受けシート１は、使い捨てが可能であり、そのときは、汚れた吸湿シート３ｂを内側にして丸めてから、取付紐５等を用いて広がらないように締めてから捨てるとよい。
【図面の簡単な説明】
【００１６】
【図１】吐物受けシートの使用状態を斜視図である。
【図２】展開した吐物受けシートの平面図である。
【図３】部分的に折り曲げ起立させた吐物受けシートの平面図である。
【図４】部分的に折り曲げ起立させた吐物受けシートの斜視図である。
【図５】図４に示す吐物受けシートの右側面図である。
【図６】従来技術を示す斜視図である。
【符号の説明】
【００１７】１．        吐物受けシート
３．        シート本体
３ａ．      防水シート
３ｂ．      吸湿シート
５．        取付紐
５ａ．      一方の紐片
５ｂ．      他方の紐片
１０１ａ．  頭側端部
１０１ｂ．  体側端部
１０１ｄ．  ギャザー
１０１ｅ．  ギャザー
【図１】
2008212627.tif 000003
【図２】
2008212627.tif 000004
【図３】
2008212627.tif 000005
【図４】
2008212627.tif 000006
【図５】
2008212627.tif 000007
【図６】
2008212627.tif 000008
【手続補正書】
【提出日】平成20年2月21日(2008.2.21)
【手続補正１】
【補正対象書類名】特許請求の範囲
【補正対象項目名】全文
【補正方法】変更
【補正の内容】
【特許請求の範囲】
【請求項１】
寝床上に横向きに寝た使用者が枕の上に頭をおいた状態で使用する吐物受けシートであって、
頭側端部と体側端部とを有するシート本体と、当該シート本体を使用者の首に取り付ける取付紐と、を含めて構成してあり、
当該シート本体が、ほぼ長方形防水シートと、当該防水シート上面の一部又は前部の領域に貼り付けた吸湿シートと、を含めて構成してあり、
当該頭側端部の頭寄りには、当該シート本体の頭側端部を使用者の頭の下に位置させて頭の重みによって当該シート本体のずれ防止するとともに枕の上に乗り上げ起立させて頭側端部から体側端部にかけて枕に沿った壁を形成したときに使用者の首を受け入れるための凹部を形成してあり、
当該体側端部と当該体側端部と当該凹部との間の部位と、を保持手段によって折り曲げ起立させて吐物を受けるための窪みが形成してあり、
当該取付紐を当該凹部近傍に取り付けてある
ことを特徴とする吐物受けシート。
【請求項２】
前記取付紐が、前記凹部の一端側にその一端を固定した一方の紐片と、当該凹部の他端側にその一端を固定した他方の紐片と、を含めて構成してあり、
当該一方の紐片の開放端と当該他方の紐片の開放端とを、着脱可能な面ファスナーによって連結可能に構成してある
ことを特徴とする請求項１記載の吐物受けシート。
【請求項３】
前記保持手段が、前記体側端部両端角部に形成した伸縮ヒダを含めて構成してある
ことを特徴とする請求項１又は２記載の吐物受けシート。
【手続補正２】
【補正対象書類名】明細書
【補正対象項目名】０００５
【補正方法】変更
【補正の内容】
【０００５】（請求項１記載の発明の特徴）
請求項１記載の発明にかかる吐物受けシート（以下、適宜「請求項１のシート」という）は、寝床上に横向きに寝た使用者が枕の上に頭をおいた状態で使用する吐物を受けるためのシートである。請求項１のシートは、頭側端部と体側端部とを有するシート本体と、当該シート本体を使用者の首に取り付ける取付紐と、を含めて構成してあり、当該シート本体が、ほぼ長方形防水シートと、当該防水シート上面の一部又は前部の領域に貼り付けた吸湿シートと、を含めて構成してある。さらに、当該頭側端部の頭寄りには、当該シート本体の当該頭側端部を使用者の頭の下に位置させて頭の重みによって当該シート本体のずれ防止するとともに枕の上に乗り上げ起立させて頭側端部から体側端部にかけて枕に沿った壁を形成したときに使用者の首を受け入れるための凹部を形成してある。これらに加え、当該体側端部と当該体側端部と当該凹部との間の部位と、を保持手段によって折り曲げ起立させて吐物を受けるための窪みが形成してあり、当該取付紐を当該凹部近傍に取り付けてある
【手続補正３】
【補正対象書類名】図面
【補正対象項目名】全図
【補正方法】変更
【補正の内容】
【図１】
2008212627.tif 000009
【図２】
2008212627.tif 000010
【図３】
2008212627.tif 000011
【図４】
2008212627.tif 000012
【図５】
2008212627.tif 000013
【図６】
2008212627.tif 000014